(57)【特許請求の範囲】
【請求項１】
（ａ）端子部材を備えるカードを収容するハウジングと、
（ｂ）該ハウジングに取付けられ、前記カードの端子部材と接触する接続端子とを有するカード用コネクタであって、
（ｃ）前記ハウジングは、前記カードの下面に対向する底壁部、該底壁部の対向する側辺の一方に沿って延在し、前記カードの一方の側壁面が当接するカード支持壁部、及び、前記底壁部の対向する側辺の他方に沿って延在し、カード保持用金具が取付けられる金具支持壁部を備え、
（ｄ）前記カード保持用金具は、前記カードを前記カード支持壁部に向けて付勢するカード付勢部、及び、該カード付勢部と一体的に形成されたコネクタ取付用補助金具部を備え、
（ｅ）前記カード付勢部は、前記金具支持壁部に当接するばね支持部、及び、該ばね支持部に接続され、自由端が前記カード支持壁部に向けて突出するばね部を備え、
（ｆ）前記コネクタ取付用補助金具部は、前記金具支持壁部に当接してハウジングに取付けられる補助金具本体部、及び、該補助金具本体部の下端に接続され、基板に取付けられる取付テール部を備え、
（ｇ）前記カード保持用金具は、前記底壁部の上面と平行に前記カード支持壁部に向けて突出し、前記ばね支持部と補助金具本体部とを連結する庇金具部を更に備えることを特徴とするカード用コネクタ。
【請求項２】
前記カード支持壁部は、前記金具支持壁部に向けて突出し、下面が底壁部の上面と平行なカード支持庇部を備える請求項１に記載のカード用コネクタ。
【請求項３】
前記金具支持壁部は、相互に分離して形成された第１金具支持壁部及び第２金具支持壁部を備え、前記補助金具本体部は第１金具支持壁部に当接し、前記ばね支持部は第２金具支持壁部に当接する請求項１に記載のカード用コネクタ。
【請求項４】
前記ばね部は、前記ばね支持部の両側に該ばね支持部に対して各々斜めに接続された第１ばね部及び第２ばね部、並びに、前記第１ばね部及び第２ばね部の自由端に各々接続され、前記カードの他方の側壁面が当接する板状の第１当接部及び第２当接部を備える請求項３に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｍｕｌｔｉ  Ｍｅｄｉａ  Ｃａｒｄ）（Ｒ）、ＳＤ（Ｓｅｃｕｒｅ  Ｄｉｇｉｔａｌ）（Ｒ）カード、ミニＳＤ（Ｒ）カード、メモリスティック（Ｒ）、スマートメディア（Ｒ）、Ｔ−Ｆｌａｓｈ（Ｔｒａｎｓ−Ｆｌａｓｈ）メモリカード、マイクロＳＤ（Ｒ）カード等の各種メモリカードを利用するために、カード用コネクタを備えている（例えば、特許文献１参照。）。
【０００３】
図７は従来のカード用コネクタを示す図である。
【０００４】
図において、３０１はカード用コネクタの絶縁性ハウジングであり、図示されない長方形のメモリカードが収容される。そして、前記絶縁性ハウジング３０１には、複数の端子３０２及び３０３が取付けられ、該端子３０２及び３０３がメモリカードのコンタクトパッドと接触する。なお、前記端子３０２及び３０３は、図示されない回路基板の表面の接続パッドにはんだ付されることによって、回路基板の導線性トレースと導通する。また、前記絶縁性ハウジング３０１は、端子３０２及び３０３が接続パッドにはんだ付されることによって、回路基板に固定される。さらに、３０４は絶縁性ハウジング３０１の一端に取付けられたばね部材であり、絶縁性ハウジング３０１内に収容されたメモリカードを付勢して、絶縁性ハウジング３０１の他端に押付ける。また、絶縁性ハウジング３０１の各コーナには、メモリカードの保持手段であるカード挿入溝３０５〜３０８が各々形成されている。
【０００５】
そして、メモリカードをカード用コネクタに装着する際には、まず、メモリカードの利用者は、手指によって、絶縁性ハウジング３０１に対してメモリカードを長手方向に傾斜させる。この場合、絶縁性ハウジング３０１におけるばね部材３０４が取付けられた側に対応する短辺が下を向くように、長方形のメモリカードを傾斜させる。続いて、利用者は、メモリカードの下を向いた短辺の両端がカード挿入溝３０５及び３０６内に進入するように、メモリーカードを絶縁性ハウジング３０１に対して移動させる。この場合、メモリカードの下を向いた短辺がばね部材３０４に当接するので、メモリカードを移動させると、ばね部材３０４が変形させられてばね力を発揮するが、利用者は、ばね力に抗して、メモリカードをカード挿入溝３０５及び３０６内の奥方に移動させる。
【０００６】
続いて、メモリカードの下を向いた短辺の両端が前記カード挿入溝３０５及び３０６内に十分に進入すると、利用者は、メモリカードの反対側の短辺を下方に移動させ、該短辺の両端をカード挿入溝３０７及び３０８に対向させる。そして、利用者が手指をメモリカードから放すと、該メモリカードは、ばね部材３０４の付勢力を受けて移動し、前記短辺の両端がカード挿入溝３０７及び３０８内に進入する。これにより、メモリカードの各コーナ部が各々カード挿入溝３０５〜３０８によって保持された状態となり、メモリカードのカード用コネクタへの装着が完了する。
【特許文献１】特開平１１−２４２９７２号公報
【発明の開示】
【発明が解決しようとする課題】
【０００７】
しかしながら、前記従来のカード用コネクタは、ばね部材３０４が絶縁性ハウジング３０１に取付けられているだけなので、該絶縁性ハウジング３０１が変形してしまったり、回路基板から外れてしまったりすることがある。前述のように、メモリカードをカード用コネクタに装着する際には、利用者が手指によってメモリカードをばね部材３０４のばね力に抗して移動させるので、ばね部材３０４は利用者の手指から大きな力を受けることとなり、ばね部材３０４が取付けられた絶縁性ハウジング３０１も大きな力を受けることとなる。そして、カード用コネクタが小型化され、絶縁性ハウジング３０１の各部の肉厚が薄くなっているので、利用者の手指から大きな力を受けると変形してしまうことがある。また、絶縁性ハウジング３０１は、端子３０２及び３０３が接続パッドにはんだ付されることによって回路基板に固定されているので、利用者の手指から大きな力を受けると端子３０２及び３０３と接続パッドとを結合するはんだが剥（は）がれて、回路基板から外れてしまったりすることがある。
【０００８】
本発明は、前記従来のカード用コネクタの問題点を解決して、カードを付勢するカード付勢部とコネクタ取付用補助金具部とが一体的に形成されたカード保持用金具をハウジングの一側辺に配設することによって、カードを装着する際に利用者の手指によって加えられる力を受けてもハウジングが変形することがなく、また、ハウジングが基板から外れてしまうことがなく、簡素な構成でハウジングを強化することができるカード用コネクタを提供することを目的とする。
【課題を解決するための手段】
【０００９】
そのために、本発明のカード用コネクタにおいては、端子部材を備えるカードを収容するハウジングと、該ハウジングに取付けられ、前記カードの端子部材と接触する接続端子とを有するカード用コネクタであって、前記ハウジングは、前記カードの下面に対向する底壁部、該底壁部の対向する側辺の一方に沿って延在し、前記カードの一方の側壁面が当接するカード支持壁部、及び、前記底壁部の対向する側辺の他方に沿って延在し、カード保持用金具が取付けられる金具支持壁部を備え、前記カード保持用金具は、前記カードを前記カード支持壁部に向けて付勢するカード付勢部、及び、該カード付勢部と一体的に形成されたコネクタ取付用補助金具部を備え、前記カード付勢部は、前記金具支持壁部に当接するばね支持部、及び、該ばね支持部に接続され、自由端が前記カード支持壁部に向けて突出するばね部を備え、前記コネクタ取付用補助金具部は、前記金具支持壁部に当接してハウジングに取付けられる補助金具本体部、及び、該補助金具本体部の下端に接続され、基板に取付けられる取付テール部を備え、前記カード保持用金具は、前記底壁部の上面と平行に前記カード支持壁部に向けて突出し、前記ばね支持部と補助金具本体部とを連結する庇金具部を更に備える。
【００１２】
本発明の更に他のカード用コネクタにおいては、さらに、前記カード支持壁部は、前記金具支持壁部に向けて突出し、下面が底壁部の上面と平行なカード支持庇部を備える。
【００１３】
本発明の更に他のカード用コネクタにおいては、さらに、前記金具支持壁部は、相互に分離して形成された第１金具支持壁部及び第２金具支持壁部を備え、前記補助金具本体部は第１金具支持壁部に当接し、前記ばね支持部は第２金具支持壁部に当接する。
【００１４】
本発明の更に他のカード用コネクタにおいては、さらに、前記ばね部は、前記ばね支持部の両側に該ばね支持部に対して各々斜めに接続された第１ばね部及び第２ばね部、並びに、前記第１ばね部及び第２ばね部の自由端に各々接続され、前記カードの他方の側壁面が当接する板状の第１当接部及び第２当接部を備える。
【発明の効果】
【００１５】
本発明によれば、カード用コネクタは、カードを付勢するカード付勢部とコネクタ取付用補助金具部とが一体的に形成されたカード保持用金具をハウジングの一側辺に配設している。そのため、カードを装着する際に利用者の手指によって加えられる力を受けてもハウジングが変形することがなく、また、ハウジングが基板から外れてしまうことがなく、簡素な構成でハウジングを強化することができる。
【発明を実施するための最良の形態】
【００１６】
以下、本発明の実施の形態について図面を参照しながら詳細に説明する。
【００１７】
図１は本発明の実施の形態におけるカード用コネクタを示す三面図、図２は本発明の実施の形態におけるカード用コネクタを示す断面図であり図１のＡ−Ａ矢視断面図である。なお、図１において（ａ）は平面図、（ｂ）は正面図、（ｃ）は側面図である。
【００１８】
図において、１０は本実施の形態におけるカード用コネクタであり、図示されない電子機器に取付けられる。そして、前記カード用コネクタ１０の内部には後述されるカード５０が挿入され、前記カード用コネクタ１０を介して、前記電子機器にカード５０が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００１９】
また、カード５０は、例えば、ＳＩＭカード、ＭＭＣ（Ｒ）、ＳＤ（Ｒ）カード、ミニＳＤ（Ｒ）カード、メモリスティック（Ｒ）、スマートメディア（Ｒ）、Ｔ−Ｆｌａｓｈメモリカード、マイクロＳＤ（Ｒ）カード等のＩＣカードであり、いかなる種類のカードであってもよいが、本実施の形態においては、ＳＩＭカードであるものとして説明する。また、本実施の形態において、カード用コネクタ１０の各部の構成及び動作を説明するために使用される上、下、左、右、前、後等の方向を示す表現は、絶対的なものでなく相対的なものであり、カード用コネクタ１０又はその部品が図に示される姿勢である場合に適切であるが、カード用コネクタ１０又はその部品の姿勢が変化した場合には、姿勢の変化に応じて変更して解釈されるべきものである。
【００２０】
ここで、前記カード用コネクタ１０は、図に示されるように、合成樹脂等の絶縁性材料によって一体的に成形され、前記カード５０を収容するハウジング１１と、金属等の導電性材料から成る板材に打抜き、折曲げ等の加工を施すことによって成形され、ハウジング１１に取付けられた接続端子としての端子２２及びカード保持用金具４０とを有する。前記カード用コネクタ１０は、概略、扁（へん）平な長方形の皿、すなわち、トレイのような形状を備え、前記電子機器の基板に取付けられ、内部に概略長方形の板状のカード５０が装着される。
【００２１】
そして、前記ハウジング１１は、図１（ａ）に示されるように、概略長方形で、その一部が略Ｕ字状に切取られた切取部１７、緩い円弧状の円弧部２３及び装着の際におけるカード５０の移動方向を示す矢印模様２８を備える底壁部１２、該底壁部１２の長手方向に延在する一方の側辺に沿って延在し、底壁部１２から立設する第１カード支持壁部１５ａ及び第２カード支持壁部１５ｂ、並びに、前記底壁部１２の長手方向に延在する他方の側辺に沿って延在し、底壁部１２から立設する第１金具支持壁部１３ａ及び第２金具支持壁部１３ｂを有する。また、前記一方の側辺の両端には、第１カード支持壁部１５ａに連接して底壁部１２から立設する第３短辺支持壁部１４ｃ、及び、第２カード支持壁部１５ｂに連接して底壁部１２から立設する第４短辺支持壁部１４ｄが配設されている。さらに、前記他方の側辺の両端には、第１金具支持壁部１３ａに連接して底壁部１２から立設する第１短辺支持壁部１４ａ、及び、第２金具支持壁部１３ｂに連接して底壁部１２から立設する第２短辺支持壁部１４ｂが配設されている。
【００２２】
ここで、前記第１金具支持壁部１３ａ及び第２金具支持壁部１３ｂ並びに第１カード支持壁部１５ａ及び第２カード支持壁部１５ｂは、ハウジング１１内に収容されたカード５０の両側の長辺に各々対向する。また、第１短辺支持壁部１４ａ及び第３短辺支持壁部１４ｃ並びに第２短辺支持壁部１４ｂ及び第４短辺支持壁部１４ｄは、ハウジング１１内に収容されたカード５０の両側の短辺に各々対向し、カード５０の長手方向の位置決めを行う。なお、第４短辺支持壁部１４ｄにおける第２カード支持壁部１５ｂとの接続部分は、カード５０の一隅部に形成された傾斜面に対応するように、斜めに形成されている。
【００２３】
そして、前記第１カード支持壁部１５ａ及び第２カード支持壁部１５ｂの上縁には、ハウジング１１の内方に向けて突出する第１カード支持庇部１６ａ及び第２カード支持庇部１６ｂが各々形成されている。前記第１カード支持庇部１６ａ及び第２カード支持庇部１６ｂの下面は、底壁部１２の上面と平行に延在し、ハウジング１１内に収容されたカード５０の上面に対向し、カード５０がハウジング１１の上方に移動することを制限し、カード５０がハウジング１１から離脱することを防止する。また、前記第２金具支持壁部１３ｂの上縁には、ハウジング１１の内方に向けて突出する金具側カード支持庇部１８が形成されている。なお、図示される例において、金具側カード支持庇部１８は、第２短辺支持壁部１４ｂの上縁にも接続されている。そして、金具側カード支持庇部１８の下面は、底壁部１２の上面と平行に延在し、ハウジング１１内に収容されたカード５０の上面に対向し、カード５０がハウジング１１の上方に移動することを制限し、カード５０がハウジング１１から離脱することを防止する。
【００２４】
また、図示される例においては、第１金具支持壁部１３ａと第２金具支持壁部１３ｂとが分離して形成されているが、必要に応じて、第１金具支持壁部１３ａと第２金具支持壁部１３ｂとを連続させて一体的に形成することもできる。さらに、第１カード支持壁部１５ａと第２カード支持壁部１５ｂとが分離して形成されているが、必要に応じて、第１カード支持壁部１５ａと第２カード支持壁部１５ｂとを連続させて一体的に形成することもできる。さらに、第１短辺支持壁部１４ａと第３短辺支持壁部１４ｃとが分離して形成されているが、必要に応じて、第１短辺支持壁部１４ａと第３短辺支持壁部１４ｃとを連続させて一体的に形成することもできる。さらに、第２短辺支持壁部１４ｂと第４短辺支持壁部１４ｄとが分離して形成されているが、必要に応じて、第２短辺支持壁部１４ｂと第４短辺支持壁部１４ｄとを連続させて一体的に形成することもできる。さらに、底壁部１２の切取部１７、円弧部２３及び矢印模様２８は、必要に応じて、省略することができる。
【００２５】
なお、第１金具支持壁部１３ａ及び第２金具支持壁部１３ｂを統合的に説明する場合には金具支持壁部１３として説明し、第１カード支持壁部１５ａと第２カード支持壁部１５ｂを統合的に説明する場合にはカード支持壁部１５として説明し、第１短辺支持壁部１４ａ〜第４短辺支持壁部１４ｄを統合的に説明する場合には短辺支持壁部１４として説明し、第１カード支持庇部１６ａ及び第２カード支持庇部１６ｂを統合的に説明する場合にはカード支持庇部１６として説明する。
【００２６】
また、底壁部１２の上面には、前後方向に延在するように形成された端子装填（てん）凹部２１が複数形成され、各端子装填凹部２１に接続端子としての端子２２が挿入されて取付けられている。そして、図２に示されるように、端子２２は、その根本部２２ａの両側が前記端子装填凹部２１の側壁と係合することによって、端子装填凹部２１に装着され、先端が斜め上方に延在し、カンチレバー状の形状を備える。なお、前記端子２２の自由端、すなわち、先端には上方に突出するように湾曲した接触部２２ｃが形成され、該接触部２２ｃの上端は、底壁部１２の上面より上方に突出している。そして、前記接触部２２ｃは、カード５０の下面に配設された後述される端子部材としてのコンタクトパッド５１に接触して電気的に接続される。また、前記根本部２２ａから接触部２２ｃと反対側に延在するテール部２２ｂは、底壁部１２の縁から外方に向けて突出し、前記電子機器における基板に形成された信号線、コンタクトパッド、端子等、すなわち、相手側端子部材に、はんだ付等によって電気的に接続される。なお、前記端子装填凹部２１及び端子２２の数及び配置は、カード５０のコンタクトパッド５１の数及び配置に対応するように、適宜変更することができる。
【００２７】
そして、前記カード保持用金具４０は、金具支持壁部１３に沿って、底壁部１２の長手方向に延在する他方の側辺に取付けられている。また、前記カード保持用金具４０は、カード用コネクタ１０を電子機器における基板に取付けるためのコネクタ取付用補助金具としても機能するものであり、基板の接続パッドにはんだ付等によって取付けられる取付テール部４８を備える。なお、前記接続パッドは、基板の接地（グランド）線に接続されたものであってもよい。この場合、カード保持用金具４０は、カード５０を接地線に接続して、静電気に起因する障害を除去するための機能を発揮する。さらに、前記カード保持用金具４０は、底壁部１２の上面と平行に延在する庇金具部４１を備える。該庇金具部４１は、その下面が金具側カード支持庇部１８の下面とほぼ同一面となり、金具側カード支持庇部１８と同様の機能を発揮して、ハウジング１１内に収容されたカード５０の上面に対向し、カード５０がハウジング１１の上方に移動することを制限し、カード５０がハウジング１１から離脱することを防止する。
【００２８】
次に、前記カード保持用金具４０について詳細に説明する。
【００２９】
図３は本発明の実施の形態におけるカード保持用金具を示す斜視図、図４は本発明の実施の形態におけるカード保持用金具をハウジングに取付ける動作を示す斜視図、図５は本発明の実施の形態におけるカード保持用金具がハウジングに取付けられた状態を示す斜視図である。なお、図４及び５においては、端子の図示が省略されている。
【００３０】
図３に示されるように、カード保持用金具４０は、庇金具部４１の一端に接続されたばね支持部４２、該ばね支持部４２の両側に各々接続された第１ばね部４３ａ及び第２ばね部４３ｂ、並びに、前記第１ばね部４３ａ及び第２ばね部４３ｂの先端に各々接続された第１当接部４４ａ及び第２当接部４４ｂを有する。そして、前記ばね支持部４２、第１ばね部４３ａ、第２ばね部４３ｂ、第１当接部４４ａ及び第２当接部４４ｂは、ばね性を備えた材料から成り、カード５０をカード支持壁部１５の方向に付勢するカード付勢部として機能する。なお、前記第１ばね部４３ａ及び第２ばね部４３ｂを統合的に説明する場合にはばね部４３として説明し、第１当接部４４ａ及び第２当接部４４ｂを統合的に説明する場合には当接部４４として説明する。
【００３１】
ここで、前記ばね支持部４２は、庇金具部４１に対してほぼ直角になるように曲げられて接続されており、カード保持用金具４０がハウジング１１に取付けられた状態で、第２金具支持壁部１３ｂと平行となる。また、前記第１ばね部４３ａ及び第２ばね部４３ｂは、ばね支持部４２に対して斜めになるように曲げられて接続された細長い板状のカンチレバーのような形状であり、カード保持用金具４０がハウジング１１に取付けられた状態で、自由端、すなわち、先端がカード支持壁部１５の方向に突出する。さらに、前記第１当接部４４ａ及び第２当接部４４ｂは、第１ばね部４３ａ及び第２ばね部４３ｂの先端に対して斜めになるように曲げられて接続された板状の小片であり、ばね支持部４２とほぼ平行となっていて、カード５０の側壁面に当接する。また、前記第１当接部４４ａの庇金具部４１側端縁、すなわち、上端縁には、第１当接部４４ａに対してほぼ直角になるように曲げられた係合片４５が接続されている。該係合片４５は、カード５０の上面に当接し、第１当接部４４ａとカード５０との位置関係がずれることを防止する。なお、前記第１当接部４４ａ、第２当接部４４ｂ及び係合片４５は、必要に応じて、省略することができる。
【００３２】
また、前記カード保持用金具４０は、庇金具部４１におけるばね支持部４２と反対側に接続された補助金具本体部４６を有する。該補助金具本体部４６は、庇金具部４１に対してほぼ直角になるように曲げられて接続されており、カード保持用金具４０がハウジング１１に取付けられた状態で、第１金具支持壁部１３ａと平行となる。さらに、補助金具本体部４６の庇金具部４１と反対側端縁、すなわち、下端縁には、第１嵌（かん）合部４７ａ、第２嵌合部４７ｂ及び取付テール部４８が接続されている。ここで、前記第１嵌合部４７ａ及び第２嵌合部４７ｂは、補助金具本体部４６と同一面となるように庇金具部４１と反対側方向、すなわち、下方に延在し、ハウジング１１の底壁部１２と第１金具支持壁部１３ａとの境に形成された図示されない嵌合孔（こう）に嵌入される。これにより、カード保持用金具４０は、ハウジング１１に強固に取付けられる。
【００３３】
さらに、前記取付テール部４８は、補助金具本体部４６に対してほぼ直角になるように曲げられて接続されており、庇金具部４１と平行になっている。そして、前記取付テール部４８は、前述のように基板の接続パッドにはんだ付等によって取付けられる。これにより、前記補助金具本体部４６、第１嵌合部４７ａ、第２嵌合部４７ｂ及び取付テール部４８は、カード用コネクタ１０を基板に強固に取付けるためのコネクタ取付用補助金具部としての機能を発揮する。なお、前記第１嵌合部４７ａ及び第２嵌合部４７ｂを統合的に説明する場合には、嵌合部４７として説明する。また、該嵌合部４７の数及び配置は、適宜変更することができる。
【００３４】
そして、前記カード保持用金具４０を、図４に示されるように、ハウジング１１の上方に位置させ、この状態からカード保持用金具４０をハウジング１１に向けて相対的に移動させ、ハウジング１１に取付ける。なお、ハウジング１１は、取付テール部４８を収容するように第１金具支持壁部１３ａに隣接して形成された取付テール収容凹部２５、及び、第２嵌合部４７ｂと補助金具本体部４６の端部とを収容するように第１金具支持壁部１３ａと第１短辺支持壁部１４ａとの間に形成されたスリット状の補助金具収容凹部２６を有する。また、底壁部１２の上面における金具支持壁部１３と接する部分には、カード５０を装着する際に、該カード５０の一方の長辺を進入しやすくするために、金具支持壁部１３に沿って延在する帯状の陥没部１２ａが形成されていることが望ましい。
【００３５】
この場合、ハウジング１１に対するカード保持用金具４０の姿勢を制御して、庇金具部４１が底壁部１２の上面と平行になり、かつ、補助金具本体部４６及びばね支持部４２が第１金具支持壁部１３ａ及び第２金具支持壁部１３ｂと平行になるようにする。そして、第２嵌合部４７ｂと補助金具本体部４６の端部とを補助金具収容凹部２６内に進入させ、取付テール部４８を取付テール収容凹部２５内に進入させる。さらに、第１嵌合部４７ａと第２嵌合部４７ｂとを、底壁部１２と第１金具支持壁部１３ａとの境に形成された図示されない嵌合孔に嵌入させる。これにより、図５に示されるように、カード保持用金具４０がハウジング１１に取付けられる。
【００３６】
カード保持用金具４０がハウジング１１に取付けられた状態において、補助金具本体部４６は、第１金具支持壁部１３ａのカード支持壁部１５を向いた面、すなわち、内面に当接する。なお、補助金具本体部４６の端部は補助金具収容凹部２６内に収容されている。また、ばね支持部４２は第２金具支持壁部１３ｂ内面に当接する。なお、第１ばね部４３ａ及び第２ばね部４３ｂの先端に各々接続された第１当接部４４ａ及び第２当接部４４ｂは、第１金具支持壁部１３ａ及び第２金具支持壁部１３ｂよりも、カード支持壁部１５の方向に突出している。この場合、第１当接部４４ａ及び第２当接部４４ｂは初期位置にあり、第１ばね部４３ａ及び第２ばね部４３ｂは弾性変形していない初期状態になっている。
【００３７】
また、庇金具部４１は、第１金具支持壁部１３ａ及び第２金具支持壁部１３ｂの上縁からハウジング１１の内方に向けて突出している。この場合、庇金具部４１の下面は、金具側カード支持庇部１８の下面とほぼ同一面となり、底壁部１２の上面と平行に延在し、ハウジング１１内に収容されたカード５０の上面に対向し、カード５０がハウジング１１の上方に移動することを制限し、カード５０がハウジング１１から離脱することを防止する。なお、庇金具部４１の端部の下面は第１短辺支持壁部１４ａの上面に当接している。
【００３８】
ここで、補助金具本体部４６とばね支持部４２とを連結する庇金具部４１は、前述のように底壁部１２の上面と平行に延在するので、底壁部１２の上面と平行な面内における力に対する断面二次係数が大きくなっている。そのため、前記庇金具部４１は、底壁部１２の上面と平行な面内における力を受けても、剛性が高く、変形し難いので、カード５０を装着する際に、補助金具本体部４６やばね支持部４２が利用者の手指による力を受けても、変形してしまうことがない。
【００３９】
次に、前記構成のカード用コネクタ１０にカード５０を装着する動作について説明する。
【００４０】
図６は本発明の実施の形態におけるカード用コネクタにカードを装着する動作を示す図であり図１のＢ−Ｂ矢視断面図である。
【００４１】
まず、カード５０の利用者は、手指によってカード５０の姿勢を制御して、カード５０の一隅部に形成された傾斜面がハウジング１１の第４短辺支持壁部１４ｄにおける第２カード支持壁部１５ｂとの傾斜した接続部分に対応し、かつ、コンタクトパッド５１がハウジング１１の底壁部１２の上面と対面するようにする。続いて、利用者は、図６（ａ）に示されるように、ハウジング１１における金具支持壁部１３に対応する長辺が下を向くように、概略長方形のカード５０を傾斜させる。そして、利用者は、カード５０の下を向いた長辺、すなわち、金具支持壁部１３側の長辺が金具側カード支持庇部１８及びカード保持用金具４０の庇金具部４１と底壁部１２の上面との間に進入するように、カード５０をハウジング１１に対し、矢印Ｃで示される方向に移動させる。
【００４２】
すると、図６（ａ）に示されるように、カード５０の金具支持壁部１３側の長辺における側壁面がカード保持用金具４０の第１当接部４４ａ及び第２当接部４４ｂに当接する。この状態では、第１当接部４４ａ及び第２当接部４４ｂが初期位置にあり、カード支持壁部１５までの距離が近いので、カード５０の上を向いた長辺、すなわち、カード支持壁部１５側の長辺を底壁部１２の上面に向けて下方に移動させても、カード支持壁部１５の上縁又はカード支持庇部１６の上面に引っ掛かってしまい、カード５０をハウジング１１内に収容させることができない。そこで、利用者は、カード５０を矢印Ｃで示される方向に更に移動させ、カード５０の金具支持壁部１３側の長辺を金具支持壁部１３に向けて押込むようにする。すると、ばね部４３と変形させられてばね力を発揮するが、利用者の手指の力は、ばね部４３のばね力と比較して十分に大きいので、該ばね力に抗して、カード５０を金具支持壁部１３に向けて押込むことができる。
【００４３】
この場合、該金具支持壁部１３は、矢印Ｃで示される方向に作用する利用者の手指の力を受けることになるが、該力の相当程度をカード保持用金具４０が受けるので、金具支持壁部１３が受ける力が低減される。また、取付テール部４８が回路基板等に取付けられているので、カード保持用金具４０が受けた力がハウジング１１の金具支持壁部１３やその他の部位に伝達されることがない。そのため、ハウジング１１の金具支持壁部１３やその他の部位が、利用者の手指の力を受けて変形したり破損したりすることがない。
【００４４】
そして、図６（ｂ）に示されるように、カード５０の金具支持壁部１３側の長辺が金具側カード支持庇部１８及び庇金具部４１と底壁部１２の上面との間において、奥の方に十分に進入すると、利用者は、カード５０のカード支持壁部１５側の長辺を、矢印Ｄで示される方向に、すなわち、底壁部１２の上面に向けて下方に移動させ、カード５０のコンタクトパッド５１が配設された面、すなわち、下面が底壁部１２の上面と向合うようにする。この場合、カード５０のコンタクトパッド５１が配設されていない面、すなわち、上面がカード支持庇部１６の下面よりも低くなるようにする。これにより、コンタクトパッド５１が対応する端子２２の接触部２２ｃに接触する。そして、端子２２は、コンタクトパッド５１によって下方に押されて弾性的に変形するのでばね力を発生する。そのため、接触部２２ｃは、前記ばね力によってコンタクトパッド５１に押付けられるように付勢されるので、コンタクトパッド５１と確実に接触する。
【００４５】
続いて、利用者が手指をカード５０から放すと、図６（ｃ）に示されるように、該カード５０は、ばね部４３の付勢力を受けて矢印Ｅで示される方向に移動し、カード支持壁部１５側の長辺がカード支持庇部１６の下面と底壁部１２の上面との間に進入する。なお、各コンタクトパッド５１と対応する端子２２の接触部２２ｃとの接触は維持される。そして、前記カード支持壁部１５側の長辺の側壁面は、カード支持壁部１５の金具支持壁部１３を向いた面、すなわち、内面に当接し、ばね部４３の付勢力によって前記内面に押付けられるように付勢される。そのため、カード５０のカード支持壁部１５側の長辺は、カード支持庇部１６の下面と底壁部１２の上面とによって保持された状態となる。また、図６（ｃ）に示されるように、カード５０の金具支持壁部１３側の長辺も、金具側カード支持庇部１８及び庇金具部４１と底壁部１２の上面とによって保持されている。これにより、カード５０は、両側の長辺が上下から保持された状態となってカード用コネクタ１０から離脱することがない状態となり、カード５０のカード用コネクタ１０への装着が完了する。
【００４６】
この場合、カード支持壁部１５は、カード５０を介してばね部４３の付勢力を受けることになる。しかし、ばね部４３の付勢力は、利用者の手指の力と比較して相当に小さいので、金具等によって補強しなくても、前記カード支持壁部１５が変形したり破損したりしてしまうことがない。
【００４７】
このように、本実施の形態においては、ハウジング１１は、底壁部１２の対向する側辺の一方に沿って延在し、カード５０の一方の側壁面が当接するカード支持壁部１５、及び、前記底壁部１２の対向する側辺の他方に沿って延在し、カード保持用金具４０が取付けられる金具支持壁部１３を備え、前記カード保持用金具４０は、カード５０を前記カード支持壁部１５に向けて付勢するカード付勢部、及び、該カード付勢部と一体的に形成されたコネクタ取付用補助金具部を備える。そのため、カード用コネクタ１０にカード５０を装着する際に、利用者の手指によって加えられる力を受けても、該力の相当程度をカード保持用金具４０が受けるので、ハウジング１１が変形することがなく、また、ハウジング１１が基板から外れてしまうことがなく、簡素な構成でハウジング１１を強化することができる。
【００４８】
また、前記カード付勢部は、ハウジング１１の金具支持壁部１３に当接するばね支持部４２、及び、該ばね支持部４２に接続され、自由端が前記カード支持壁部１５に向けて突出するばね部４３を備え、前記コネクタ取付用補助金具部は、前記金具支持壁部１３に当接してハウジング１１に取付けられる補助金具本体部４６、及び、該補助金具本体部４６の下端に接続され、基板に取付けられる取付テール部４８を備える。そのため、簡素な構成でありながら、カード５０を適切にカード支持壁部１５に付勢して、カード５０を確実に保持することができるとともに、ハウジング１１の基板への取付けを確実にし、ハウジング１１を強化することができる。
【００４９】
さらに、前記カード保持用金具４０は、底壁部１２の上面と平行にカード支持壁部１５に向けて突出し、ばね支持部４２と補助金具本体部４６とを連結する庇金具部４１を備える。この場合、該庇金具部４１は、底壁部１２の上面と平行に延在するので、底壁部１２の上面と平行な面内における力に対する断面二次係数が大きくなっている。そのため、前記庇金具部４１は、カード用コネクタ１０にカード５０を装着する際に、利用者の手指によって加えられる力を受けても、剛性が高く、変形してしまうことがない。
【００５０】
さらに、前記カード支持壁部１５は、金具支持壁部１３に向けて突出し、下面が底壁部１２の上面と平行なカード支持庇部１６を備える。この場合、該カード支持庇部１６が庇金具部４１と協働して、カード５０がハウジング１１の上方に移動することを制限し、カード５０がハウジング１１から離脱することを防止する。そのため、ハウジング１１にカバーを取付ける必要がなく、カード用コネクタ１０の構成を簡素化することができる。
【００５１】
さらに、前記金具支持壁部１３は、相互に分離して形成された第１金具支持壁部１３ａ及び第２金具支持壁部１３ｂを備え、補助金具本体部４６は第１金具支持壁部１３ａに当接し、ばね支持部４２は第２金具支持壁部１３ｂに当接する。そのため、補助金具本体部４６とばね支持部４２とを別個の位置に配設することができ、基板における取付テール部４８の取付位置等の条件に応じて補助金具本体部４６とばね支持部４２との位置関係を調節することが可能となり、設計上の自由度を高めることができる。
【００５２】
さらに、前記ばね部４３は、ばね支持部４２の両側に該ばね支持部４２に対して各々斜めに接続された第１ばね部４３ａ及び第２ばね部４３ｂ、並びに、前記第１ばね部４３ａ及び第２ばね部４３ｂの自由端に各々接続され、カード５０の側壁面が当接する板状の第１当接部４４ａ及び第２当接部４４ｂを備える。そのため、複数の部位で付勢力を付与してカード５０をカード支持壁部１５に向けて移動させることがことができるので、カード５０の姿勢を安定させることができる。また、板状の第１当接部４４ａ及び第２当接部４４ｂがカード５０の側壁面に当接するので、カード５０の側壁面に損傷を与えることがない。
【００５３】
なお、本発明は前記実施の形態に限定されるものではなく、本発明の趣旨に基づいて種々変形させることが可能であり、それらを本発明の範囲から排除するものではない。
【図面の簡単な説明】
【００５４】
【図１】本発明の実施の形態におけるカード用コネクタを示す三面図である。
【図２】本発明の実施の形態におけるカード用コネクタを示す断面図であり図１のＡ−Ａ矢視断面図である。
【図３】本発明の実施の形態におけるカード保持用金具を示す斜視図である。
【図４】本発明の実施の形態におけるカード保持用金具をハウジングに取付ける動作を示す斜視図である。
【図５】本発明の実施の形態におけるカード保持用金具がハウジングに取付けられた状態を示す斜視図である。
【図６】本発明の実施の形態におけるカード用コネクタにカードを装着する動作を示す図であり図１のＢ−Ｂ矢視断面図である。
【図７】従来のカード用コネクタを示す図である。
【符号の説明】
【００５５】
１０    カード用コネクタ
１１    ハウジング
１２    底壁部
１２ａ    陥没部
１３ａ    第１金具支持壁部
１３ｂ    第２金具支持壁部
１４ａ    第１短辺支持壁部
１４ｂ    第２短辺支持壁部
１４ｃ    第３短辺支持壁部
１４ｄ    第４短辺支持壁部
１５ａ    第１カード支持壁部
１５ｂ    第２カード支持壁部
１６    カード支持庇部
１６ａ    第１カード支持庇部
１６ｂ    第２カード支持庇部
１７    切取部
１８    金具側カード支持庇部
２１    端子装填凹部
２２、３０２、３０３    端子
２２ａ    根本部
２２ｂ    テール部
２２ｃ    接触部
２３    内弧部
２５    取付テール収容凹部
２６    補助金具収容凹部
２８    矢印模様
４０    カード保持用金具
４１    庇金具部
４２    ばね支持部
４３ａ    第１ばね部
４３ｂ    第２ばね部
４４ａ    第１当接部
４４ｂ    第２当接部
４５    係合片
４６    補助金具本体部
４７ａ    第１嵌合部
４７ｂ    第２嵌合部
４８    取付テール部
５０    カード
５１    コンタクトパッド
３０１    絶縁性ハウジング
３０４    ばね部材
３０５、３０６、３０７、３０８    カード挿入溝
【図１】
0004671866.tif 000002
【図２】
0004671866.tif 000003
【図３】
0004671866.tif 000004
【図４】
0004671866.tif 000005
【図５】
0004671866.tif 000006
【図６】
0004671866.tif 000007
【図７】
0004671866.tif 000008